【手続補正書】
【提出日】平成26年6月27日(2014.6.27)
【手続補正１】
【補正対象書類名】明細書
【補正対象項目名】発明の名称
【補正方法】変更
【補正の内容】
【発明の名称】画像処理装置及び方法、並びに画像処理装置を有するカメラ
【手続補正２】
【補正対象書類名】明細書
【補正対象項目名】０００１
【補正方法】変更
【補正の内容】
【０００１】
本発明は、ビデオカメラ等の画像処理装置及び方法、並びに画像処理装置を有するカメラに係り、特に、被写体の顔を検出して、検出された顔に対して個人認証を行う画像処理装置及び方法、並びに画像処理装置を有するカメラに関する。
【手続補正３】
【補正対象書類名】明細書
【補正対象項目名】０００８
【補正方法】変更
【補正の内容】
【０００８】
本発明の目的は、誤認証されにくいと推定される人物については、人物の認証頻度及び認証回数を向上して検索性を高めることで、検索の使い勝手を向上できる画像処理装置及び方法、並びに画像処理装置を有するカメラを提供することにある。
【手続補正４】
【補正対象書類名】明細書
【補正対象項目名】０００９
【補正方法】変更
【補正の内容】
【０００９】
上記目的を達成するために、本発明の画像処理装置は、撮影された動画から被写体の顔を検出する検出手段と、前記検出手段にて検出された被写体の顔から特徴量を抽出する特徴量抽出手段と、それぞれの被写体の顔の特徴量を予め記憶しているメモリに記憶されたいずれかの被写体の顔の特徴量と、前記特徴量抽出手段により抽出された顔の特徴量を比較した結果が、予め定めた条件を満たす場合に、前記特徴量抽出手段により顔から特徴量が抽出された被写体を認証できたと判定する認証手段を有し、前記認証手段は、前記撮影された動画の記録部への記憶が開始された後は、前記メモリに顔の特徴量が予め記憶されている被写体のうち、前記撮影された動画の記録が開始されたときに認証されている被写体の顔に対する前記条件と、前記動画の記録が開始されたときに認証されていない被写体の顔に対する前記条件を異ならせることを特徴とする。
【手続補正５】
【補正対象書類名】明細書
【補正対象項目名】００１０
【補正方法】変更
【補正の内容】
【００１０】
また、上記目的を達成するために、本発明の画像処理装置は、撮影された動画から被写体の顔を検出する検出手段と、前記検出手段が複数の被写体の顔を検出した場合に、該複数の被写体から主被写体を選択する選択手段と、前記検出手段にて検出された被写体の顔から特徴量を抽出する特徴量抽出手段と、それぞれの被写体の顔の特徴量を予め記憶しているメモリに記憶されたいずれかの被写体の顔の特徴量と、前記特徴量抽出手段により抽出された顔の特徴量を比較した結果が、予め定めた条件を満たす場合に、前記特徴量抽出手段により顔から特徴量が抽出された被写体を認証できたと判定する認証手段を有し、前記認証手段は、前記撮影された動画の記録部への記憶が開始された後は、前記メモリに顔の特徴量が予め記憶されている被写体のうち、前記撮影された動画の記録が開始されたときに認証され、かつ、前記選択手段によって前記主被写体として選択されている被写体の顔に対する前記条件と、それ以外の被写体の顔に対する前記条件を異ならせることを特徴とする。
【手続補正６】
【補正対象書類名】特許請求の範囲
【補正対象項目名】全文
【補正方法】変更
【補正の内容】
【特許請求の範囲】
【請求項１】
撮影された動画から被写体の顔を検出する検出手段と、
前記検出手段にて検出された被写体の顔から特徴量を抽出する特徴量抽出手段と、
それぞれの被写体の顔の特徴量を予め記憶しているメモリに記憶されたいずれかの被写体の顔の特徴量と、前記特徴量抽出手段により抽出された顔の特徴量を比較した結果が、予め定めた条件を満たす場合に、前記特徴量抽出手段により顔から特徴量が抽出された被写体を認証できたと判定する認証手段を有し、
前記認証手段は、前記撮影された動画の記録部への記憶が開始された後は、前記メモリに顔の特徴量が予め記憶されている被写体のうち、前記撮影された動画の記録が開始されたときに認証されている被写体の顔に対する前記条件と、前記動画の記録が開始されたときに認証されていない被写体の顔に対する前記条件を異ならせることを特徴とする画像処理装置。
【請求項２】
前記認証手段は、前記撮影された動画の記録部への記憶が開始される前は、前記メモリに顔の特徴量が予め記憶されている被写体ごとに前記条件を異ならせないことを特徴とする請求項１に記載の画像処理装置。
【請求項３】
前記予め定めた条件は、それぞれの被写体の顔の特徴量を予め記憶しているメモリに記憶されたいずれかの被写体の顔の特徴量と、前記特徴量抽出手段により抽出された顔の特徴量の類似度が閾値以上であることを特徴とする請求項１又は２に記載の画像処理装置。
【請求項４】
前記認証手段は、前記撮影された動画の記録部への記憶が開始された後は、前記メモリに顔の特徴量が予め記憶されている被写体のうち、前記撮影された動画の記録が開始されたときに認証されている被写体の顔に対する前記閾値を、前記動画の記録が開始されたときに認証されていない被写体の顔に対する前記閾値よりも低くすることを特徴とする請求項３に記載の画像処理装置。
【請求項５】
前記認証手段は、前記撮影された動画の記録部への記憶が開始された後は、前記メモリに顔の特徴量が予め記憶されている被写体のうち、前記動画の記録が開始されたときに認証されていない被写体の顔に対する前記閾値を、前記撮影された動画の記録部への記憶が開始される前よりも高くすることを特徴とする請求項３又は４に記載の画像処理装置。
【請求項６】
前記認証手段は、前記撮影された動画の記録部への記憶が開始された後は、前記撮影された動画の記録部への記憶が開始される前よりも前記閾値を高くすることを特徴とする請求項３又は４に記載の画像処理装置。
【請求項７】
前記検出手段が複数の被写体の顔を検出した場合に、該複数の被写体から主被写体を選択する選択手段を有し、
前記認証手段は、前記撮影された動画の記録部への記憶が開始された後は、前記メモリに顔の特徴量が予め記憶されている被写体のうち、前記動画の記録が開始されたときに認証され、かつ、前記選択手段によって前記主被写体として選択されている被写体の顔に対する前記閾値を、前記動画の記録が開始されたときに認証され、かつ、前記選択手段によって前記主被写体として選択されていない被写体の顔に対する前記閾値よりも低くすることを特徴とする請求項３乃至６のいずれか１項に記載の画像処理装置。
【請求項８】
前記選択手段は、前記撮影された動画の記録部への記憶が開始される前の予め定めた期間において、前記主被写体として選択した被写体の特徴量と、メモリに記憶されたいずれかの被写体の顔の特徴量の類似度が、前記動画の記録が開始されたときに認証され、かつ、前記選択手段によって前記主被写体として選択されていない被写体の顔に対する前記閾値を超えない場合に、前記主被写体の選択が誤りであると判定することを特徴とする請求項７に記載の画像処理装置。
【請求項９】
撮影された動画から被写体の顔を検出する検出手段と、
前記検出手段が複数の被写体の顔を検出した場合に、該複数の被写体から主被写体を選択する選択手段と、
前記検出手段にて検出された被写体の顔から特徴量を抽出する特徴量抽出手段と、
それぞれの被写体の顔の特徴量を予め記憶しているメモリに記憶されたいずれかの被写体の顔の特徴量と、前記特徴量抽出手段により抽出された顔の特徴量を比較した結果が、予め定めた条件を満たす場合に、前記特徴量抽出手段により顔から特徴量が抽出された被写体を認証できたと判定する認証手段を有し、
前記認証手段は、前記撮影された動画の記録部への記憶が開始された後は、前記メモリに顔の特徴量が予め記憶されている被写体のうち、前記撮影された動画の記録が開始されたときに認証され、かつ、前記選択手段によって前記主被写体として選択されている被写体の顔に対する前記条件と、それ以外の被写体の顔に対する前記条件を異ならせることを特徴とする画像処理装置。
【請求項１０】
前記認証手段は、前記撮影された動画の記録部への記憶が開始される前は、前記メモリに顔の特徴量が予め記憶されている被写体ごとに前記条件を異ならせないことを特徴とする請求項９に記載の画像処理装置。
【請求項１１】
前記予め定めた条件は、それぞれの被写体の顔の特徴量を予め記憶しているメモリに記憶されたいずれかの被写体の顔の特徴量と、前記特徴量抽出手段により抽出された顔の特徴量の類似度が閾値以上であることを特徴とする請求項９又は１０に記載の画像処理装置。
【請求項１２】
前記認証手段は、前記撮影された動画の記録部への記憶が開始された後は、前記メモリに顔の特徴量が予め記憶されている被写体のうち、前記撮影された動画の記録が開始されたときに認証され、かつ、前記選択手段によって前記主被写体として選択されている被写体の顔に対する前記閾値を、それ以外の被写体の顔に対する前記閾値よりも低くすることを特徴とする請求項１１に記載の画像処理装置。
【請求項１３】
前記選択手段は、前記撮影された動画の記録部への記憶が開始される前の予め定めた期間において、前記主被写体として選択した被写体の特徴量と、メモリに記憶されたいずれかの被写体の顔の特徴量の類似度が、前記動画の記録が開始されたときに認証され、かつ、前記選択手段によって前記主被写体として選択されていない被写体の顔に対する前記閾値を超えない場合に、前記主被写体の選択が誤りであると判定することを特徴とする請求項１２に記載の画像処理装置。
【請求項１４】
前記撮影された動画とともに、前記認証手段による認証結果を表示する表示手段を有することを特徴とする請求項１乃至１３のいずれか１項に記載の画像処理装置。
【請求項１５】
前記動画を撮影する撮影手段と、
請求項１乃至１４のいずれか１項に記載された画像処理装置を有することを特徴とするカメラ。
【請求項１６】
撮影された動画から被写体の顔を検出する検出工程と、
前記検出工程において検出された被写体の顔から特徴量を抽出する特徴量抽出工程と、
それぞれの被写体の顔の特徴量を予め記憶しているメモリに記憶されたいずれかの被写体の顔の特徴量と、前記特徴量抽出工程において抽出された顔の特徴量を比較した結果が、予め定めた条件を満たす場合に、前記特徴量抽出工程において顔から特徴量が抽出された被写体を認証できたと判定する認証工程を有し、
前記認証工程では、前記撮影された動画の記録部への記憶が開始された後は、前記メモリに顔の特徴量が予め記憶されている被写体のうち、前記撮影された動画の記録が開始されたときに認証されている被写体の顔に対する前記条件と、前記動画の記録が開始されたときに認証されていない被写体の顔に対する前記条件を異ならせることを特徴とする画像処理方法。
【請求項１７】
撮影された動画から被写体の顔を検出する検出工程と、
前記検出工程において複数の被写体の顔を検出した場合に、該複数の被写体から主被写体を選択する選択工程と、
前記検出工程において検出された被写体の顔から特徴量を抽出する特徴量抽出工程と、
それぞれの被写体の顔の特徴量を予め記憶しているメモリに記憶されたいずれかの被写体の顔の特徴量と、前記特徴量抽出工程において抽出された顔の特徴量を比較した結果が、予め定めた条件を満たす場合に、前記特徴量抽出工程において顔から特徴量が抽出された被写体を認証できたと判定する認証工程を有し、
前記認証工程では、前記撮影された動画の記録部への記憶が開始された後は、前記メモリに顔の特徴量が予め記憶されている被写体のうち、前記撮影された動画の記録が開始されたときに認証され、かつ、前記選択工程において前記主被写体として選択されている被写体の顔に対する前記条件と、それ以外の被写体の顔に対する前記条件を異ならせることを特徴とする画像処理方法。